【手続補正書】
【提出日】平成20年8月26日(2008.8.26)
【手続補正１】
【補正対象書類名】特許請求の範囲
【補正対象項目名】全文
【補正方法】変更
【補正の内容】
【特許請求の範囲】
【請求項１】
画像処理した画像信号を出力するカメラと、該カメラから出力される画像信号を画像として表示可能な外部装置とを通信可能に備える画像処理システムであって、
前記カメラは、
前記外部装置から送信される画像処理パラメータ及び当該画像処理パラメータを所定の調整幅で変更した値に基づいて、撮影された画像の画像信号に対して複数の画像処理を行なう画像処理手段と、
該画像処理手段により画像処理された複数の画像信号を前記外部装置に送信する第１の送信手段とを備え、
前記外部装置は、
前記カメラから送信された前記複数の画像信号に係る複数の画像を画面上で同時に表示する表示手段と、
前記表示手段に表示された複数の画像のいずれかを選択することに応じて、選択された画像に関連する画像処理パラメータを設定する設定手段と、
前記設定手段により設定された画像処理パラメータを前記カメラに送信する第２の送信手段とを備えることを特徴とする画像処理システム。
【請求項２】
前記外部装置は、前記表示手段に表示された複数の画像から一つの画像を選択する選択手段をさらに備え、前記設定手段は、前記選択手段によって選択された画像が前記カメラにおける現在の画像処理パラメータの設定値に対応する画像以外である場合に、前記選択された画像を得るために必要な特定画像処理パラメータを設定し、
前記画像処理手段は、前記特定画像処理パラメータを前記カメラにおける現在の画像処理パラメータに設定することを特徴とする請求項１に記載の画像処理システム。
【請求項３】
前記カメラは、該カメラに初期状態として設定されている前記画像処理パラメータを初期パラメータとして前記外部装置に送信する第３の送信手段をさらに備えることを特徴とする請求項１に記載の画像処理システム。
【請求項４】
前記外部装置は、前記カメラから送信された前記初期パラメータを記憶する記憶手段をさらに備えることを特徴とする請求項３に記載の画像処理システム。
【請求項５】
前記外部装置は、該外部装置の処理を中止する場合に、前記記憶手段に記憶されている初期パラメータを前記カメラに送信し、前記カメラは、前記初期パラメータを画像処理を行うためのパラメータとして設定することを特徴とする請求項４に記載の画像処理システム。
【請求項６】
前記設定手段は、前記画像処理パラメータの設定を変更する場合に、前記画像処理パラメータの調整量を変更可能にする調整量変更手段をさらに備えることを特徴とする請求項１に記載の画像処理システム。
【請求項７】
画像処理した画像信号を出力するカメラと、該カメラから出力される画像信号を画像として表示可能な外部装置とを通信可能に備える画像処理システムを制御する方法であって、
画像処理パラメータ及び当該画像処理パラメータを所定の調整幅で変更した値を前記外部装置から前記カメラに送信する第１の送信工程と、
前記外部装置から前記カメラに送信された画像処理パラメータ及び当該画像処理パラメータを所定の調整幅で変更した値に基づいて、撮影された画像の画像信号に対して複数の画像処理を行なう画像処理工程と、
該画像処理工程において画像処理された複数の画像信号を前記カメラから前記外部装置に送信する第２の送信工程と、
前記カメラから前記外部装置に送信された前記複数の画像信号に係る複数の画像を画面上で同時に表示する表示工程と、
前記表示工程において表示された複数の画像のいずれかを選択することに応じて、選択された画像に関連する画像処理パラメータを設定する設定工程と、
前記設定工程において設定された画像処理パラメータを前記外部装置から前記カメラに送信する第３の送信工程と、
を備えることを特徴とする画像処理システムの制御方法。
【請求項８】
前記表示工程において表示された複数の画像から一つの画像を選択する選択工程をさらに備え、前記設定工程では、前記選択工程において選択された画像が前記カメラにおける現在の画像処理パラメータの設定値に対応する画像以外である場合に、前記選択された画像を得るために必要な特定画像処理パラメータを設定し、
前記画像処理工程では、前記特定画像処理パラメータを前記カメラにおける現在の画像処理パラメータに設定することを特徴とする請求項７に記載の画像処理システムの制御方法。
【請求項９】
前記カメラに初期状態として設定されている前記画像処理パラメータを初期パラメータとして前記カメラから前記外部装置に送信する第４の送信工程をさらに備えることを特徴とする請求項７に記載の画像処理システムの制御方法。
【請求項１０】
前記カメラから前記外部装置に送信された前記初期パラメータを記憶する記憶工程をさらに備えることを特徴とする請求項９に記載の画像処理システムの制御方法。
【請求項１１】
前記外部装置の処理を中止する場合に、前記記憶工程において記憶された初期パラメータを前記カメラに送信し、前記初期パラメータを前記カメラにおける画像処理を行うためのパラメータとして設定することを特徴とする請求項１０に記載の画像処理システムの制御方法。
【請求項１２】
前記設定工程において、前記画像処理パラメータの設定を変更する場合に、前記画像処理パラメータの調整量を変更可能にする調整量変更工程をさらに備えることを特徴とする請求項７に記載の画像処理システムの制御方法。
【請求項１３】
画像処理した画像信号を出力するカメラと、該カメラから出力される画像信号を画像として表示可能な外部装置とを通信可能に備える画像処理システムを制御するためのプログラムあって、
コンピュータに、
画像処理パラメータ及び当該画像処理パラメータを所定の調整幅で変更した値を前記外部装置から前記カメラに送信する第１の送信工程と、
前記外部装置から前記カメラに送信された画像処理パラメータ及び当該画像処理パラメータを所定の調整幅で変更した値に基づいて、撮影された画像の画像信号に対して複数の画像処理を行なう画像処理工程と、
該画像処理工程において画像処理された複数の画像信号を前記カメラから前記外部装置に送信する第２の送信工程と、
前記カメラから前記外部装置に送信された前記複数の画像信号に係る複数の画像を画面上で同時に表示する表示工程と、
前記表示工程において表示された複数の画像のいずれかを選択することに応じて、選択された画像に関連する画像処理パラメータを設定する設定工程と、
前記設定工程において設定された画像処理パラメータを前記外部装置から前記カメラに送信する第３の送信工程と、
を実行させることを特徴とするプログラム。
【請求項１４】
画像処理した画像信号を出力するカメラと、該カメラから出力される画像信号を画像として表示可能な外部装置とを通信可能に備える画像処理システムを制御するためのプログラムを記憶したコンピュータ読み取り可能な記憶媒体であって、前記プログラムが、
コンピュータに、
画像処理パラメータ及び当該画像処理パラメータを所定の調整幅で変更した値を前記外部装置から前記カメラに送信する第１の送信工程と、
前記外部装置から前記カメラに送信された画像処理パラメータ及び当該画像処理パラメータを所定の調整幅で変更した値に基づいて、撮影された画像の画像信号に対して複数の画像処理を行なう画像処理工程と、
該画像処理工程において画像処理された複数の画像信号を前記カメラから前記外部装置に送信する第２の送信工程と、
前記カメラから前記外部装置に送信された前記複数の画像信号に係る複数の画像を画面上で同時に表示する表示工程と、
前記表示工程において表示された複数の画像のいずれかを選択することに応じて、選択された画像に関連する画像処理パラメータを設定する設定工程と、
前記設定工程において設定された画像処理パラメータを前記外部装置から前記カメラに送信する第３の送信工程と、
を実行させることを特徴とする記憶媒体。
【手続補正２】
【補正対象書類名】明細書
【補正対象項目名】発明の名称
【補正方法】変更
【補正の内容】
【発明の名称】画像処理システム及びその制御方法、プログラム、記憶媒体
【手続補正３】
【補正対象書類名】明細書
【補正対象項目名】０００８
【補正方法】変更
【補正の内容】
【０００８】
上述した課題を解決し、目的を達成するために、本発明に係わる画像処理システムは、画像処理した画像信号を出力するカメラと、該カメラから出力される画像信号を画像として表示可能な外部装置とを通信可能に備える画像処理システムであって、前記カメラは、前記外部装置から送信される画像処理パラメータ及び当該画像処理パラメータを所定の調整幅で変更した値に基づいて、撮影された画像の画像信号に対して複数の画像処理を行なう画像処理手段と、該画像処理手段により画像処理された複数の画像信号を前記外部装置に送信する第１の送信手段とを備え、前記外部装置は、前記カメラから送信された前記複数の画像信号に係る複数の画像を画面上で同時に表示する表示手段と、前記表示手段に表示された複数の画像のいずれかを選択することに応じて、選択された画像に関連する画像処理パラメータを設定する設定手段と、前記設定手段により設定された画像処理パラメータを前記カメラに送信する第２の送信手段とを備えることを特徴とする。
【手続補正４】
【補正対象書類名】明細書
【補正対象項目名】０００９
【補正方法】変更
【補正の内容】
【０００９】
また、本発明に係わる画像処理システムの制御方法は、画像処理した画像信号を出力するカメラと、該カメラから出力される画像信号を画像として表示可能な外部装置とを通信可能に備える画像処理システムを制御する方法であって、画像処理パラメータ及び当該画像処理パラメータを所定の調整幅で変更した値を前記外部装置から前記カメラに送信する第１の送信工程と、前記外部装置から前記カメラに送信された画像処理パラメータ及び当該画像処理パラメータを所定の調整幅で変更した値に基づいて、撮影された画像の画像信号に対して複数の画像処理を行なう画像処理工程と、該画像処理工程において画像処理された複数の画像信号を前記カメラから前記外部装置に送信する第２の送信工程と、前記カメラから前記外部装置に送信された前記複数の画像信号に係る複数の画像を画面上で同時に表示する表示工程と、前記表示工程において表示された複数の画像のいずれかを選択することに応じて、選択された画像に関連する画像処理パラメータを設定する設定工程と、前記設定工程において設定された画像処理パラメータを前記外部装置から前記カメラに送信する第３の送信工程と、を備えることを特徴とする。
【手続補正５】
【補正対象書類名】明細書
【補正対象項目名】００１０
【補正方法】変更
【補正の内容】
【００１０】
また、本発明に係わるプログラムは、画像処理した画像信号を出力するカメラと、該カメラから出力される画像信号を画像として表示可能な外部装置とを通信可能に備える画像処理システムを制御するためのプログラムあって、コンピュータに、前記画像処理パラメータ及び当該画像処理パラメータを所定の調整幅で変更した値を前記外部装置から前記カメラに送信する第１の送信工程と、前記外部装置から前記カメラに送信された画像処理パラメータ及び当該画像処理パラメータを所定の調整幅で変更した値に基づいて、撮影された画像の画像信号に対して複数の画像処理を行なう画像処理工程と、該画像処理工程において画像処理された複数の画像信号を前記カメラから前記外部装置に送信する第２の送信工程と、前記カメラから前記外部装置に送信された前記複数の画像信号に係る複数の画像を画面上で同時に表示する表示工程と、前記表示工程において表示された複数の画像のいずれかを選択することに応じて、選択された画像に関連する画像処理パラメータを設定する設定工程と、前記設定工程において設定された画像処理パラメータを前記外部装置から前記カメラに送信する第３の送信工程と、を実行させることを特徴とする。
【手続補正６】
【補正対象書類名】明細書
【補正対象項目名】００１１
【補正方法】変更
【補正の内容】
【００１１】
また、本発明に係わる記憶媒体は、画像処理した画像信号を出力するカメラと、該カメラから出力される画像信号を画像として表示可能な外部装置とを通信可能に備える画像処理システムを制御するためのプログラムを記憶したコンピュータ読み取り可能な記憶媒体であって、前記プログラムが、コンピュータに、前記画像処理パラメータ及び当該画像処理パラメータを所定の調整幅で変更した値を前記外部装置から前記カメラに送信する第１の送信工程と、前記外部装置から前記カメラに送信された画像処理パラメータ及び当該画像処理パラメータを所定の調整幅で変更した値に基づいて、撮影された画像の画像信号に対して複数の画像処理を行なう画像処理工程と、該画像処理工程において画像処理された複数の画像信号を前記カメラから前記外部装置に送信する第２の送信工程と、前記カメラから前記外部装置に送信された前記複数の画像信号に係る複数の画像を画面上で同時に表示する表示工程と、前記表示工程において表示された複数の画像のいずれかを選択することに応じて、選択された画像に関連する画像処理パラメータを設定する設定工程と、前記設定工程において設定された画像処理パラメータを前記外部装置から前記カメラに送信する第３の送信工程と、を実行させることを特徴とする。
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】